(57)【特許請求の範囲】
【請求項１】
ごみ容器の搬送を行う搬送装置と、複数のごみ受容部とを有するごみ分別装置において、
前記搬送装置は、前記ごみ容器を前記ごみ受容部へ移動させる横移動を行う横移動手段と、前記横移動の際に前記ごみ容器の側部を把持している把持手段と、前記把持手段を垂直面内で横移動方向に対して左右回転させる回転手段とを備え、前記把持された前記ごみ容器は、その開口部が前記ごみ受容部の開口部よりも高い位置に前記横移動によって置かれることを特徴とするごみ分別装置。
【請求項２】
前記把持手段は、上下一対の把持腕と、前記把持腕を開閉させる把持部開閉機構と、前記把持腕の開閉方向に付勢力を与える弾性体と、を備え、前記把持部開閉機構は、リンク機構を有することを特徴とする請求項１に記載のごみ分別装置。
【請求項３】
前記回転手段は、前記把持手段を回転させる駆動手段を備えることを特徴とする請求項１に記載のごみ分別装置。
【発明の詳細な説明】
【技術分野】
【０００１】
本発明は、搬送されたごみを振分ける分別装置に関する。
【背景技術】
【０００２】
従来では高層建築物において、ごみの種類によって分別しているものがあった。
【０００３】
例えば特許文献１に示すように、高層オフィスビルなどのごみの収集において、予め用意されたごみ容器（バケット）にごみを投入し、それを下降して最下階にてシリンダと１つのフックからなる押出装置によって押出し、その後ごみ容器を反転装置に係合してごみを１箇所に排出していた。
【０００４】
また、特許文献２では建設中の高層建築物の廃材処理について、階上で投入された建築廃材を粉砕し、ごみ容器などに入れずに直接縦搬送しバタフライゲートにより複数のごみ受容部（シンク）に振分け、その後シュートによりごみ収集車に積替えし、処分場に運搬するものがある。
【先行技術文献】
【特許文献】
【０００５】
【特許文献１】特開平０１−３０３２０６号公報
【特許文献２】特開平０９−００２６０７号公報
【発明の概要】
【発明が解決しようとする課題】
【０００６】
しかしながら、高層オフィスビルのシステムにおいては、バケット搬送装置の搬送や反転装置の反転動作を１つのフックで係合して行っているため、搬送距離が長い場合や反転動作の衝撃が大きいときに不安定な係合状態となっていた。
【０００７】
また、反転装置はごみ受容部の数だけ必要となる。
【０００８】
一方、建設中の高層建築物の廃材処理においては、直接縦搬送するため振分け装置であるバタフライゲート部分でごみが詰まる可能性があった。
【０００９】
本発明は、上記の課題を鑑みてなされたものであり、ごみをごみ受容部に排出するときにごみ容器を確実に把持して安定性を保持し、ごみ容器の落下を防止している。また、本件の搬送装置を用いて複数の受容部に対応させながら詰まりのおそれがない構造とした。
【課題を解決するための手段】
【００１０】
上記の目的を達成するために、この発明では、ごみ容器を把持しながら回転させる装置を設けた。
具体的には、第１の発明では、ごみ容器と、該ごみ容器を搬送する搬送装置と、複数のごみ受容部とを有するごみ分別装置を対象とする。
【００１１】
そして、前記搬送装置は、前記ごみ容器を把持する把持手段と、該把持手段を横移動する横移動手段と、前記把持手段を垂直面内で回転する回転手段とを備えており、
【００１２】
前記搬送装置によりごみ容器を把持し、前記いずれかのごみ受容部に搬送した後、回転してごみを排出する。
【００１３】
上記の構成によると、ごみ容器を長距離搬送する際や反転動作をしてごみを排出する際の衝撃によって揺れなどが起こっても、把持手段を有しているため一つのフックで係合している場合よりも安定する。
【００１４】
また横移動して所定のごみ受容部に搬送し、ごみ容器を回転してごみを排出することにより、ごみ詰まりを効果的に防止する。
【００１５】
第２の発明では、第１の発明において、
把持手段には把持腕があり、把持腕は、一対で構成されている。
【００１６】
上記の構成によると、把持腕が一対であるため、片方にごみ容器があり、ごみ排出のため横移動し半回転した後、そのまま最初の位置に戻り、ごみ容器を開放する。
【００１７】
そのとき最初にごみ容器を把持する所には別の把持腕があり、次のごみ容器の受け入れが容易に行える。
【００１８】
第３の発明では、第１及び第２の発明において、把持腕には把持爪があり、把持爪は、一対で構成されている。
【００１９】
上記の構成によると、把持腕だけでなく、ごみ容器の開口部に引っかける把持爪があり、ごみ容器が落下するのを効果的に防止する。
【発明の効果】
【００２０】
本発明では、搬送装置はごみ容器をしっかりと把持しているため、ごみ容器が落下することがなく、複数のごみ受容部に対応することができる。
【００２１】
また、搬送装置の横移動手段はシリンダを利用しない構造から安価であり、メンテナンス性も向上することができる。
【００２２】
ごみを排出するのに、ごみ容器を用い、搬送装置にて排出することから、詰まりの可能性は全くなく、スムーズにごみを排出することができる。
【００２３】
ごみ容器には市販されている定型容器を使用することができ、一般家庭可燃ごみを廃棄する時に用いる、例えば使用後廃棄されるビニール袋と比較すると再利用できることにより環境によい。
【００２４】
また、前記搬送装置により、ごみ容器を下方に回転してごみを排出した後、空になったごみ容器をごみ受容部以外の場所で洗浄でき、洗浄の際にはごみ容器の開口部が下向きのため下方から洗浄装置にて洗浄水を噴射して直接洗浄でき、洗った後の処理水はごみ容器に滞留することを防止することができる。
【図面の簡単な説明】
【００２５】
【図１】本発明に係るごみ分別装置の設置状況を正面から見た正面図である。
【図２】本発明に係るごみ分別装置の設置状況を側面から見た側面図である。
【図３】本発明に係る分別装置における搬送装置の動作図である。
【図４】本発明に係る分別装置における搬送装置の詳細図である。
【図５】搬送装置における把持腕の動作図である。
【図６】分別装置の全体を上面から見た模式図である。
【図７】搬送装置における把持爪の動作図である。
【発明を実施するための形態】
【００２６】
以下、ごみ搬送装置の実施の形態を図面に基づいて説明する。尚、以下の好ましい実施形態の説明は、本質的に例示に過ぎない。
【００２７】
１．装置の概要
図１、図２はごみ分別装置１の全体構成を概略的に示しており、ごみ分別装置１は、ごみを収容したごみ容器４を一旦停止させるごみ容器設置スペース２と、ごみ分別装置１に設置される搬送装置３と、分別するごみの種類の数だけ設けられた複数のごみ受容部５と、ごみ容器４を上方のごみ容器脱着位置に設置させるなど全体的な制御をつかさどる全体制御装置６と、ごみの種類を確認するごみ種類確認装置７と、ごみ容器洗浄装置８を備えて構成されている。
【００２８】
なお、下方のごみ容器脱着位置にローラコンベアからなるごみ容器排出装置１２が設けられている。
【００２９】
ごみ分別装置１の搬送装置３には図４にあるように水平方向に移動させる横移動手段３６と全体制御装置６によって所定の受容部５の前で停止し、搬送装置３を垂直面内にて略１８０度回転させることによりごみ容器４に収容されたごみを受容部５に排出する回転機構３５が設けられている。
【００３０】
ごみ分別装置１は受容部５にごみを排出する際、その回転機構３５によって周囲にごみが飛散しないようにシュートバンカー９とカバー１０を備えて構成されている。
【００３１】
２．ごみ設置スペース２の構成
ごみ容器設置スペース２は、図１と図６の斜線部に示す。ごみ容器４の設置床にベルトコンベヤによって構成される第１ごみ容器移動手段２１を有しており、その隣には搬送装置３までの移動手段でベルトコンベヤもしくはローラコンベヤによって構成される第２ごみ容器移動手段２２を備えている。第１ごみ容器移動手段２１の通常運転では、運転方向は紙面正面からみて左側から右側へ移動する。また第１ごみ容器移動手段２１は、ごみ容器４から落下した細かいごみが第１ごみ容器移動手段２１上にある場合、逆に回転させ、細かいごみを排出するものである。その排出の際にごみが飛散しないようにカバー２３が設置されている。カバー２３下部は、筒状のシュート２４になっている。このごみ容器設置スペース２はダストシュートなどで垂直にごみ容器４が搬送される場合や、水平にベルトコンベヤなどで運搬されてくる場合など、様々な場合に終端として対応する。また、ごみ容器設置スペース２ではごみ種類確認装置７により、集められたごみ容器４のごみの種類を確認するスペースとしても利用される。ここで第１ごみ容器移動手段２１はベルトコンベヤだけでなく、モーターを使用したアームなどにより、ごみ容器４が上方のごみ容器脱着位置に設置される構造でもよい。
【００３２】
３．搬送装置３の構成
搬送装置３は図４に示すようにごみ容器を把持する把持手段３０と回転手段３５と横移動手段３６とから構成されている。
【００３３】
把持手段３０は各把持腕３１、３２と、固縛する各把持爪３３が設けられており、各々の爪は把持部開閉機構３４であるリンク機構により連結されている。このリンク機構はベルクランクからなり、把持部開閉機構３４にあるストッパ３４１が図１に示すようにごみ分別装置１のフレーム１００に設けられたブラケット１１より離れるとバネ等の弾性体による付勢が解除され、ストッパ３４１が押出されることによりリンクL３が引き寄せられリンクL１、L２が作動し、把持腕３１、３２及び把持爪３３がごみ容器４を把持、固縛する。また、把持腕３１、３２は把持腕３１の一つだけでもよい。
【００３４】
把持腕３１、３２は上下一対となっており各腕の動作は上方下方とで同期している。つまり上方がごみ容器を開放すると下方も開放し、上方がごみ容器を把持すると下方も把持する。
【００３５】
搬送装置３を回転させる回転手段３５は、搬送装置を水平移動させるモーター３５１とモーター３５１を支持する各スチフナ３５２と搬送装置の回転軸３５３と各ローラー３５４とローラーが設置される搬送装置全体を支持するフレーム３５５から構成されている。
【００３６】
横移動手段３６はフレーム３５５の左右端に連絡されたループ状の３６１を図示しないモーターとスプロケットとによりごみ容器４を水平方向に移動する。また伝達手段はチェーンとスプロケット以外にラックとピニオンやウォームギアなどでも良い。
【００３７】
搬送装置３は図３のように動作する。すなわち図３の(ａ)は原点位置である上方のごみ容器脱着位置にあり、搬送装置３は前記第２ごみ容器移動手段２１の最も近傍に存在する。そのとき把持部開閉機構３４にあるストッパ３４１は、ブラケット１１に当接されており、各把持腕３１、３２が図５の（Ａ）位置に示すようにごみ容器４の径より大きく開いており、各把持爪３３は図７の（ａ）に示すようにごみ容器４の上端よりも上方へ伸びてごみ容器４を開放している。搬送装置３が移動し始めるとストッパ３４１とブラケット１１とが離れ、各把持腕３１、３２はごみ容器４を把持し各把持爪３３は固縛する。このとき搬送装置３の各把持腕３１、３２は、ごみ容器を把持するために図５の（Ｂ）位置のように閉じ、各把持爪３３は図７（ｂ）のように上から下へ下降し固縛する。その後搬送装置３は、図３（ｂ）のように所定のごみ受容部５まで移動する。
【００３８】
次に搬送装置３は、図３の（ｃ）のように略１８０度回転することによって、ごみ容器４内のごみを排出する。排出した後のごみ容器４は搬送装置３に把持されたまま、左に水平移動して図３の（ｄ）のように、下方のごみ容器脱着位置までもどる。そのときごみ容器４は略１８０度回転したままで、ごみ容器４の開口部は床面方向にある。ストッパ３４１とブラケット１１が当接し、各把持腕３１、３２は図５の（Ａ）位置のように大きく開き、各把持爪３３は図７（ａ）のように上方へ伸びて開放される。
【００３９】
ごみ容器４が下方のごみ容器脱着位置に戻ったとき、搬送装置３にある開放されたごみ容器４は、ローラコンベヤからなるごみ容器排出装置１２により他の場所へ移動される。そのとき上方の搬送装置３は、ごみ容器４がなく新たなごみ容器を受け入れる状態になっている。
【００４０】
新たにごみ容器４がごみ設置スペース２に設置され、次に第２ごみ容器移動手段２２により、上方のごみ容器脱着位置にある時は、搬送装置３はごみ容器４を検知し、同時に下方のごみ容器脱着位置にごみ容器がないことを検知することにより、水平移動し始める。そうすると各把持腕３１、３２と各把持爪３３は、新たなごみ容器４を把持、固縛し、所定の受容部前で停止し、回転してごみを排出する。
上記動作が繰り返されることによりごみが分別排出される。
【００４１】
上方の各把持腕３１、３２、各把持爪３３がごみ容器を把持、固縛し且つ下方の各把持腕３１、３２、各把持爪３３がごみ容器４を開放することが搬送装置３の起動条件となる。
【００４２】
４．複数のごみ受容部５
複数のごみ受容部５は予め決められたごみの種類の数だけ設置されている。受容部５は固定されたピットでも良いし、又は、移動できるコレクタでも良い。
【００４３】
ここでは運搬に便利なコレクタを使用した場合を図示している。また、図６に示すように受容部５は搬送装置３の回転軸３５３を中心に左右に振分けられており、受容部５が最も少ない場合で２種類の分別をすることができる。また建築スペースに余裕があれば図６の右手方向に所望の数だけ増加させることができる。
【００４４】
５．全体制御装置６の機能
全体制御装置６は、ごみ種類確認装置７、搬送装置３のごみ容器設置検知器及び回転角検知器、シュートバンカー９の蓋開閉検知器等からの信号を入力すると共に、搬送装置３の制御部、シュートバンカー９の開閉機構等への作動指令を出力する。
【００４５】
まずごみ設置スペース２にあるごみ容器４のごみの種類を確認した後、自動で上方のごみ容器脱着位置に移動させる。上方のごみ容器着脱位置にごみ容器４が設置されると信号が全体制御装置６へ入力され、ごみ容器４を把持させ所定のごみ受容部の前まで搬送装置３を水平移動させ、回転させてごみを排出させる。
【００４６】
６．ごみ種類確認装置７の機能
ごみ種類確認装置７は、ごみの種類別にボタンを有しておりごみ設置スペース２にごみ容器４が設置されたとき、ごみの種類を判断し手動でボタンを押すことによりごみの種類を全体制御装置６に認識させる。
【００４７】
また検知器を有しており、ごみ容器４にRFID技術として代表的に使用されるICタグやバーコードなどを貼り付けることにより、ごみ設置スペース２に設置されたごみ容器４のごみの種類を自動で識別し、全体制御装置６に認識させる。ここでRFIDとは、Radio Frequency IDentification「電波による個体識別」の略である。
【００４８】
さらに、検知器によって、ごみ種類別の色に着色されたごみ容器４を自動で識別し、全体制御装置６に認識させる。
【００４９】
ごみ種類確認装置７は手動であれ自動であれごみの種類を判断することができ、判断結果を全体制御装置６に認識させる。
【００５０】
７．ごみ容器洗浄装置８
ごみ容器洗浄装置８は、図１に示すようにごみ分別装置１の下方にありポンプとタンク及び昇降自在のノズルにより構成されている。
【００５１】
搬送装置３が回転し、ごみを排出した後に下方のごみ容器脱着位置に戻ったとき、図３（ｄ）にあるように、ごみ容器４の内部へ向かってノズルから洗浄水を噴射し洗浄する。
【００５２】
ごみ容器４の開口部は床面に面しているため、洗浄後のごみ容器４の内部にある洗浄水は重力により自然に床面へ落下し、水滴がごみ容器４の内部に滞留することを防止する。
８．その他の事項
【００５３】
シュートバンカー９は、受容部５の略真上に開口部がくるように設置されており、搬送装置３が略１８０度回転するとき、ごみ容器４から飛散したごみが受容部５以外の場所に飛散しないようにガイドをする役目を果たしている。またバンカー下部には蓋９２がありシリンダ９１によって開閉される。蓋９２を設けることで搬送装置３の回転により排出したごみが直接コレクタに当たらないようにし、ごみの落下衝撃を緩和している。この蓋９２は搬送装置３が停止してごみを排出してから、一定の時間後自動で開閉する。その制御は全体制御装置６においておこなう。
【００５４】
カバー１０は、分別装置１を全体的に覆っており、これもごみ容器４が搬送装置３によって略１８０°回転するときにごみ容器４からこぼれたごみが分別装置１の周辺に飛散しないようにするために設けられている。
【産業上の利用可能性】
【００５５】
本発明によれば、ごみの収集システムにおいて、予めごみの種類を選定して分別収集するような種々のごみの縦搬送装置や、選別システム、ごみ真空収集装置などに有用である。
【符号の説明】
【００５６】
１ ごみ分別装置
２              ごみ容器設置スペース
３              搬送装置
３０            把持手段
３５            回転手段
３６            横移動手段
４             ごみ容器
５              ごみ受容部
６              全体制御装置
７              ごみ種類確認装置
８              ごみ容器洗浄装置
１１            ブラケット
１２            ごみ容器排出装置
【図１】
0005570792.tif 000002
【図２】
0005570792.tif 000003
【図３】
0005570792.tif 000004
【図４】
0005570792.tif 000005
【図５】
0005570792.tif 000006
【図６】
0005570792.tif 000007
【図７】
0005570792.tif 000008